(57)【要約】  【課題】大雨時に汚水が下水管中を逆流して上流側低地帯のマンホールから道路上に噴き出したりする被害を防止するための下水管用の逆流防止逆止弁装置に関し、上流で道路上に逆流水が吹き出すほどマンホール内が異常増水した場合に、円滑かつ確実に、自動的に逆流防止として機能する逆止弁装置を実現する。  【解決手段】下水マンホール内において、下水管の下流端開口又は下流端に連結する弁管の開口の上部に設けた支軸に開閉蓋を軸支すると共に前記開閉蓋とは反対側に伸びた浮子レバーに浮子を取付けてあるため、通常は浮子の重みで開閉蓋が開いて弁口が完全に開口し、低水位の場合でも確実に全開するので、通常の水流を阻害することがない。マンホール中が増水すると、浮子が徐々に浮上して開閉蓋を閉じる方向に作用し、又は開閉蓋の自重で下降し、遂には全閉となる。【選択図】図１
0003136061.tif 000002
【実用新案登録請求の範囲】
【請求項１】
下水マンホール内において、下水管の下流端開口又は下流端に連結する弁管の開口の上部に設けた水平の支軸に開閉蓋を軸支すると共に前記開閉蓋とは反対側に伸びた浮子レバーに浮子を取付けてあることを特徴とする下水管の逆流防止用の逆止弁装置。
【請求項２】
前記の開閉蓋の背面に設けた蓋レバーと前記の浮子レバーとが一体的に連動する構造又は開蓋方向に折り曲げ可能なレバー構造となっていることを特徴とする請求項１に記載の下水管の逆流防止用の逆止弁装置。
【請求項３】
前記下水管又は弁管の開口端が、上向き斜めに開口している形状であることを特徴とする請求項１または請求項２に記載の下水管の逆流防止用の逆止弁装置。
【請求項４】
前記の弁管は、下水管に連結するための連結フランジを有しており、弁管を固定するための半円状の押さえ手段を有していることを特徴とする請求項１、請求項２または請求項３に記載の下水管の逆流防止用の逆止弁装置。
【請求項５】
前記弁管の上部に立設した左右２個のブラケットに、互い平行な２本の浮子レバーと２本の蓋レハーの左右側をそれぞれ重ねて前記の水平支軸を挿通してあり、  前記２本の浮子レバーの先端間を連結するスペーサに前記の浮子を取付けてあり、
前記の２本の蓋レハーの上端間に渡した上ブリッジ部の下側に配設した下ブリッジ部を前記浮子レバーの支軸側端の間に渡した構造になっていることを特徴とする請求項１から請求項４までのいずれかの項に記載の下水管の逆流防止用の逆止弁装置。
【請求項６】
前記支軸と浮子との間において、前記２本の蓋レバーの先端間に下面ブリッジ部を渡して、浮子レバーで押し下げ可能とし、この下面ブリッジ部と浮子との間において、左右２個のブラケット間にストッパーを渡して、浮子レバーの下限位置を設定してあることを特徴とする請求項１から請求項５までのいずれかの項に記載の下水管の逆流防止用の逆止弁装置。
【考案の詳細な説明】
【技術分野】
【０００１】
本考案は、大雨時に汚水が下水管中を逆流して上流側低地帯のマンホールから道路上に噴き出したりする被害を防止するための下水管用の逆流防止逆止弁装置に関する。
【背景技術】
【０００２】
実開昭60−５３８８７号や実開昭60−１３０８９６号、実開昭61−０５０１８６号などに記載のように、下水等の排水溝の逆流防止弁が知られている。また、浮体の浮力で逆流防止弁を自動的に開閉する逆流防止装置が特開平10−０１８４０５号で提案されている。その構造は、短筒状の本体の一端側が上端より下端にかけてマス本体の側壁に向かって傾斜して開口され、この開口の上端に、下端に浮体が設けられた蓋体が開口側に向かって回動可能に垂設され、浮体がマス本体内の水位の増減により浮力を受け、この浮力により蓋体が回動されて上記開口が閉鎖、或いは開放される構造になっている。
【特許文献１】実開昭６０−５３８８７号
【特許文献２】実開昭６０−１３０８９６号
【特許文献３】実開昭６１−０５０１８６号
【特許文献４】特開平１０−０１８４０５号
【考案の開示】
【考案が解決しようとする課題】
【０００３】
しかしながら、特許文献４に記載のように、蓋体の下端に浮体を有する構造では、水位が最低の場合でも、蓋体が流出管の出口と対向するため、流出管からの流出が円滑に行われず、特に大雨時に大量の流水が流出するような場合には、円滑な流出を阻害し、しかも流出力によって蓋体が破壊される恐れがある。蓋体の下端に浮体が有るため、浮体が揺動可能な空間を確保する必要があり、既設のマンホールなどでは、浮体の揺動領域を新たに掘削し増設する工事が必要となる。その結果、コスト高となる。
本考案の技術的課題は、このような問題に着目し、水位が低い場合も下水管の上流から下流への水流が円滑で、上流で道路上に逆流水が吹き出すほどマンホール内が異常増水した場合のみ、円滑かつ確実に、自動的に逆流防止として機能する逆止弁装置を実現することにある。
【課題を解決するための手段】
【０００４】
本考案の技術的課題は次のような手段によって解決される。請求項１は、下水マンホール内において、下水管の下流端開口又は下流端に連結する弁管の開口の上部に設けた水平の支軸に開閉蓋を軸支すると共に前記開閉蓋とは反対側に伸びた浮子レバーに浮子（フロート）を取付けてあることを特徴とする下水管の逆流防止用の逆止弁装置である。このように、下水マンホール内において、下水管の下流端開口又は下流端に連結する弁管の開口の上部に設けた支軸に開閉蓋を軸支すると共に前記開閉蓋とは反対側に伸びた浮子レバーに浮子を取付けてあるため、通常は浮子の重みで開閉蓋が開いて弁口が完全に開口し、低水位の場合でも確実に全開するので、通常の水流を阻害することがない。マンホール中が増水すると、浮子が徐々に浮上して開閉蓋を閉じる方向に作用し、又は開閉蓋の自重で下降し、遂には全閉となる。
【０００５】
請求項２は、前記の開閉蓋の背面に設けた蓋レバーと前記の浮子レバーとが一体的に連動する構造又は開蓋方向に折り曲げ可能なレバー構造となっていることを特徴とする請求項１に記載の下水管の逆流防止用の逆止弁装置である。このように、前記の開閉蓋の背面に設けた蓋レバーと前記の浮子レバーとが一体的に連動する構造となっているため、水位による浮子の上下動に連動して開閉蓋が確実に開閉動作する。また、開蓋方向に折り曲げ可能なレバー構造となっている場合は、保守や点検の際に開閉蓋を上方に開けて、下水管や弁管の内部を容易に目視することが可能となる。
【０００６】
請求項３は、前記下水管又は弁管の開口端が、上向き斜めに開口している形状であることを特徴とする請求項１または請求項２に記載の下水管の逆流防止用の逆止弁装置である。このように、前記下水管又は弁管の開口端が上向き斜めに開口している形状であるため、浮子の浮力や開閉蓋の自重による閉弁が確実となり、逆流防止の信頼性が高まる。
【０００７】
請求項４は、前記の弁管は、下水管に連結するための連結フランジを有しており、弁管を固定するための半円状の押さえ手段を有していることを特徴とする請求項１、請求項２または請求項３に記載の下水管の逆流防止用の逆止弁装置である。このように、前記の弁管は、下水管に連結するための連結フランジを有しているので、下水マンホール中で下水管の本管に容易に連結し、増設できる。また、弁管を固定するための半円状の押さえ手段を有しているので、マンホール中でコンクリート基礎部に容易に押さえつけて固定でき、安定性が向上する。
【０００８】
請求項５は、前記弁管の上部に立設した左右２個のブラケットに、互い平行な２本の浮子レバーと２本の蓋レハーの左右側をそれぞれ重ねて前記の水平支軸を挿通してあり、前記の２本の蓋レハーの上端間に渡した上ブリッジ部の下側に配設した下ブリッジ部を前記浮子レバーの支軸側端の間に渡した構造になっていることを特徴とする請求項１から請求項４までのいずれかの項に記載の下水管の逆流防止用の逆止弁装置である。このように、前記弁管の上部に立設した左右２個のブラケットに、互い平行な２本の浮子レバーと２本の蓋レハーの左右側をそれぞれ重ねて前記の水平支軸を挿通した構造において、前記２本の蓋レハーの上端間に渡した上ブリッジ部の下側に配設した下ブリッジ部を前記浮子レバーの支軸側端の間に渡した構造になっているので、上下のブリッジ部同士をボルトなどで連結固定すれば、浮子レバーと蓋レバーとが、一体のレバーと同様に、一体的にシーソー揺動して、浮子の浮力で開閉蓋を開閉できる。
【０００９】
連結しないで開放すれば、水位が上昇して、浮子レバー先端が支軸を中心に回動下降すると、蓋レバー上端の上ブリッジ部が開放されて自由になるため、開閉蓋はその自重で下降し閉弁する。したがって、浮子の浮力に頼らずに閉弁できる。しかも、開閉蓋を上側に折って立てることによって、弁管内部を目視して保守点検できる。なお、水位低下による浮子の下降時には、浮子レバー先端で蓋レバー先端の上ブリッジ部を押し上げることで、開閉蓋を開く。
【００１０】
請求項６は、前記支軸と浮子との間において、前記２本の蓋レバーの先端間に下面ブリッジ部を渡して、浮子レバーで押し下げ可能とし、この下面ブリッジ部と浮子との間において、左右２個のブラケット間にストッパーを渡して、浮子レバーの下限位置を設定してあることを特徴とする請求項１から請求項５までのいずれかの項に記載の下水管の逆流防止用の逆止弁装置である。このように、前記支軸と浮子との間において、前記２本の蓋レバー先端の下面間に下面ブリッジ部を渡して、浮子レバーで押し下げ可能としてあるので、浮子の下降時に下面ブリッジ部を押し下げることで、開閉蓋を押し上げる力が作用するため、請求項５のように、蓋レバー上端の上ブリッジ部を押し上げる力と相まって、効率的に開閉蓋を押し上げて開くことができる。また、下面ブリッジ部と浮子との間において、左右２個のブラケット間にストッパーを渡して、浮子レバーを受けるため、浮子レバーの下限位置が水平に設定され、必要以上に開閉蓋を開けることはない。
【考案の効果】
【００１１】
請求項１のように、下水マンホール内において、下水管の下流端開口又は下流端に連結する弁管の開口の上部に設けた支軸に開閉蓋を軸支すると共に前記開閉蓋とは反対側に伸びた浮子レバーに浮子を取付けてあるため、通常は浮子の重みで開閉蓋が開いて弁口が完全に開口し、低水位の場合でも確実に全開するので、通常の水流を阻害することがない。マンホール中が増水すると、浮子が徐々に浮上して開閉蓋を閉じる方向に作用し、又は開閉蓋の自重で下降し、遂には全閉となる。
【００１２】
請求項２のように、前記の開閉蓋の背面に設けた蓋レバーと前記の浮子レバーとが一体的に連動する構造となっているため、水位による浮子の上下動に連動して開閉蓋が確実に開閉動作する。また、開蓋方向に折り曲げ可能なレバー構造となっている場合は、保守や点検の際に開閉蓋を上方に開けて、下水管や弁管の内部を容易に目視することが可能となる。
【００１３】
請求項３のように、前記下水管又は弁管の開口端が上向き斜めに開口している形状であるため、浮子の浮力や開閉蓋の自重による閉弁が確実となり、逆流防止の信頼性が高まる。
【００１４】
請求項４のように、前記の弁管は、下水管に連結するための連結フランジを有しているので、下水マンホール中で下水管の本管に容易に連結し、増設できる。また、弁管を固定するための半円状の押さえ手段を有しているので、マンホール中でコンクリート基礎部に容易に押さえつけて固定でき、安定性が向上する。
【００１５】
請求項５のように、前記弁管の上部に立設した左右２個のブラケットに、互い平行な２本の浮子レバーと２本の蓋レハーの左右側をそれぞれ重ねて前記の水平支軸を挿通した構造において、前記２本の蓋レハーの上端間に渡した上ブリッジ部の下側に配設した下ブリッジ部を前記浮子レバーの支軸側端の間に渡した構造になっているので、上下のブリッジ部同士をボルトなどで連結固定すれば、浮子レバーと蓋レバーとが、一体のレバーと同様に、一体的にシーソー揺動して、浮子の浮力で開閉蓋を開閉できる。
【００１６】
連結しないで開放すれば、水位が上昇して、浮子レバー先端が支軸を中心に回動下降すると、蓋レバー上端の上ブリッジ部が開放されて自由になるため、開閉蓋はその自重で下降し閉弁する。したがって、浮子の浮力に頼らずに閉弁できる。しかも、開閉蓋を上側に折って立てることによって、弁管内部を目視して保守点検できる。水位低下による浮子の下降時には、浮子レバー先端で蓋レバー先端の上ブリッジ部を押し上げることで、開閉蓋を開く。
【００１７】
請求項６のように、前記支軸と浮子との間において、前記２本の蓋レバー先端の下面間に下面ブリッジ部を渡して、浮子レバーで押し下げ可能としてあるので、浮子の下降時に下面ブリッジ部を押し下げることで、開閉蓋を押し上げる力が作用するため、請求項５のように、蓋レバー上端の上ブリッジ部を押し上げる力と相まって、効率的に開閉蓋を押し上げて開くことができる。また、下面ブリッジ部と浮子との間において、左右２個のブラケット間にストッパーを渡して、浮子レバーを受けるため、浮子レバーの下限位置が水平に設定され、必要以上に開閉蓋を開けることはない。
【考案を実施するための最良の形態】
【００１８】
次に本考案による下水管の逆流防止用の逆止弁装置が実際上どのように具体化されるか実施形態を説明する。図１は本考案による逆止弁装置の斜視図で、水平の弁管１の開口の上部に設けた水平の支軸２に開閉蓋３を蓋レバーを介して軸支してある。この開閉蓋３の背部に固定された蓋レバー４が上下方向に延びていて、その支軸２とは反対側に伸びた浮子レバー５に浮子Ｆを取付けてある。蓋レバー４と浮子レバー５とは、一体構造又は連結構造でもよいし、折り曲げ可能な構造でもよい。
すなわち、図２のように、２本の蓋レバー４・４の先端間に渡した上ブリッジ部１３の下側に下ブリッジ部１４を配設してあり、この下ブリッジ部１４は２本の浮子レバー５・５の支軸２側端５ａ・５ａ間に渡した構造になっている。そして、上下のブリッジ部１３、１４にボルトｂを挿入して連結固定すると、浮子レバー５と蓋レバー４が一体的にシーソー揺動し、ボルトｂによる連結を解除すると、蓋レバー４を上側に折り曲げて、開閉蓋３を立てることができる。
【００１９】
このように、蓋レバー４と浮子レバー５は、支軸２を中心にしてシーソー揺動できるが、上下のブリッジ部１３と１４をボルトｂで連結した場合、開閉蓋３による回転モーメントより、浮子Ｆによる回転モーメントが大きいため、図２のように、浮子Ｆの重力によって浮子Ｆ側が下降し、反対側の開閉蓋３側が上昇する。その結果、開閉蓋３は、弁管１の開口１ａを開いた状態となる。付近の水面が上昇して浮子Ｆが浮き上がると、その浮力で開閉蓋３が押し下げられて、弁管開口１ａを閉じる。６は弁管１の連結フランジ、７は押さえ帯板である。
【００２０】
図１、図２の逆止弁装置を左側面図で示すと図３のとおりである。浮子Ｆの浮子レバー５への取付け構造や浮子Ｆの向きが図１、図２と多少異なるが、特に限定はされない。また、弁管１の上部に左右２個のブラケットＢ１、Ｂ２を固設して、弁管１から浮いた位置に支軸２を配置してある。
【００２１】
図４以下は、図３の逆止弁装置の設置状態で、図４は下水マンホール内を示す平面図、図５はそのＡ−Ａ断面図、図６はＢ−Ｂ断面図である。図５に示すように、マンホールの左側の側壁８１を水平に貫通する下水流入管９を設置してあり、マンホールの右側の側壁８２を水平に貫通する下水流出管１０を設置してある。マンホール内部において、下水の流入管９の端部に設けた連結フランジに、本考案の逆止弁装置の連結フランジ６をボルトナットで連結し、押さえ帯板７で固定してある。
【００２２】
図４のように、マンホール内における前記の下水の流入管９と流出管１０との間は、コンクリート製の半円状の溝ｕで連続しており、図６のように、溝ｕの両側は下り坂の傾斜１１、１２になっている。通常は、流入管９から流出管１０に向けて下水が溝ｕ中を流れているが、その水面は浮子Ｆより低いので、浮子Ｆの重みで支軸２を支点にして開閉蓋３を上昇させ、弁管開口１ａを開いている。
【００２３】
ところが、大雨などの際に道路上からマンホール中に大量の雨水が流れ込んでマンホール内が異常に増水すると、その水面の上昇に伴って、浮子Ｆが徐々に上昇して、反対側の開閉蓋３を押し下げる。又は、蓋レバー４と浮子レバー５とが分離構造の場合は、開閉蓋３の自重で下降して、弁管開口１ａを閉じる。このように、路上からマンホール内に流れ込む流水で増水し逆流し始めると、下水管の上流側のマンホールから溢れ出す前に、浮子Ｆの浮力で開閉蓋３を閉じる方向の力が作用し、しかも流入管９からの流入も止まるので、円滑に開閉蓋３を閉じることができる。こうして、弁管開口１ａが閉じられるので、マンホール中が異常増水しても、上流方向への逆流を阻止できる。
【００２４】
いま、マンホール内の水が流出管１０から流出して、マンホール中の水位が正常に戻ると、浮子Ｆも、図１の上昇状態から図２、図５のように下降して、反対側の開閉蓋３を押し上げるので、弁管開口１ａが開かれて、上流側からの流入水が流出管１０側に通過可能となる。以上のような開閉動作のために、開閉蓋３の蓋レバー４と浮子レバー５は一体構造又はボルトｂで連結された構造になっている。ところが、このボルトｂによる連結を解除すると、図７に鎖線で示すように、蓋レバー４を折り曲げて、開閉蓋３を持ち上げ、弁管開口１ａ中を覗き込むことができる。
【００２５】
このように、蓋レバー４と浮子レバー５との連結を解除した状態では、増水によって浮子Ｆが上昇すると、浮子レバー先端５ａ・５ａは、支軸２を中心に下向きに回動して下降するので、開閉蓋３の蓋レバー４・４は浮子レバー先端５ａ・５ａから開放される。その結果、開閉蓋３は、その重みで蓋レバー４上端の支軸２を中心に下降すると共に、前記のようにマンホール中に流れる込んだ逆流水の水圧も作用して、開閉蓋３が閉じる方向に作用する。逆に、マンホール中の水位が下降して浮子Ｆが下降すると、浮子レバー先端５ａ・５ａによって上ブリッジ部１３を押し上げると共に、蓋レバー４・４先端の下面間に渡した下面ブリッジ部１５を押し下げる。その結果、上ブリッジ部１３と下面ブリッジ部１５間の支軸２を支点にして開閉蓋３が押し上げられ、弁管開口１ａが開く。
【００２６】
前記の下面ブリッジ部１５と浮子Ｆ間には、左右２個のブラケットＢ１、Ｂ２間にストッパーＳを渡して、浮子Ｆの下降時に浮子レバー５・５を受ける構造にしてあるので、浮子レバー５・５の下限位置が水平に設定される。その結果、開閉蓋３も水平状態に維持される。図１、図２のように、２本の浮子レバー５・５の浮子Ｆ側の先端間にストッパー１６で挟んで連結し、このスペーサ１６の上側に浮子Ｆを取付けてあるので、浮子Ｆの浮力が左右２本の浮子レバー先端５ａ・５ａおよび蓋レバー４・４の先端に均等に作用する。
【００２７】
いま、マンホール中に作業者が入り、開閉蓋３を持ち上げて弁管開口１ａ中を覗き込んで点検したいような場合に、ボルトｂを緩めて上下のブリッジ部１３、１４間の連結を解除してから、開閉蓋３を手で持ち上げると、上ブリッジ部１３は、浮子レバー先端５ａ・５ａに妨げられることなしに、支軸２を中心にして自由に回動上昇できるので、鎖線のように開閉蓋３を上向きに立てることによって蓋レバー４・４を折り曲げ、弁管開口１ａの中を覗き込むことができる。
【００２８】
この弁管開口１ａの開口縁１ｂは、図示のように、上向き斜めに開口している。このように、弁管開口縁１ｂを斜めにカットして楕円状にしてあるため、開閉蓋３が鉛直位置まで完全に下降しなくても、迅速に閉弁可能となる。しかも、開閉蓋３自体の重みが作用して確実に閉弁できる。開閉蓋３の内面には、このような楕円状の弁管開口縁１ｂと対応して楕円状のゴムパッキンＰを接着固定してあるので、水漏れを防止して、確実に閉弁できる。
【００２９】
図５のように、下水流入管９に本考案の弁管１を連結してもよいが、下水流入管９自体をマンホール内に延長して弁管開口１ａを形成し、支軸２を支点にして開閉する開閉蓋３と浮子Ｆを設ける構造も可能である。なお、錆防止の観点から、鉄材の使用は避け、合成樹脂製やステンレス製の材料を採用することが望ましい。各部のサイズは特に限定しないが、弁管１の外径は20ｃｍ、25ｃｍ、30ｃｍ、35ｃｍの４種類程度を予定している。
【産業上の利用可能性】
【００３０】
以上のように、本考案によると、下水管の下流端開口や下流端に連結する弁管の開口の上部に設けた支軸に蓋レバーを軸支すると共に前記開閉蓋とは反対側に伸びた浮子レバーに浮子を取付けてあるため、上流で道路上に溢れ出すほどマンホール内が異常増水する前に、浮子の上昇によって開閉蓋が弁管や下流端開口を閉じるので、円滑かつ自動的に逆流防止される。
【図面の簡単な説明】
【００３１】
【図１】本考案による逆止弁装置の斜視図である。
【図２】図１の開閉蓋が開いた状態である。
【図３】図２の逆止弁装置を左側面図である。
【図４】マンホール位置の平面図である。
【図５】図４のＡ−Ａ断面図である。
【図６】図４のＢ−Ｂ断面図である。
【図７】蓋レバーの折り曲げ構造を示す左側面図である。
【符号の説明】
【００３２】
１  弁管
Ｂ１、Ｂ２  ブラケット
２  支軸
３  開閉蓋
４  蓋レバー
５  浮子レバー
Ｆ  浮子
６  連結フランジ
７  押さえ帯板
９  下水流入管
１０  下水流出管
１３  上ブリッジ部    
１４  下ブリッジ部    
１５  下面ブリッジ部
１６  スペーサ
Ｓ  ストッパー
【図１】
0003136061.tif 000003
【図２】
0003136061.tif 000004
【図３】
0003136061.tif 000005
【図４】
0003136061.tif 000006
【図５】
0003136061.tif 000007
【図６】
0003136061.tif 000008
【図７】
0003136061.tif 000009